(57)【要約】【課題】  連続用紙の搬送指示を外部から受け付ける紙送りスイッチを備えたプリンタにおいて、紙送りスイッチが継続して押下されたときに、ラベル紙の無駄な排出を避けることが可能なプリンタ、紙送り制御方法及びプログラムを提供する。【解決手段】  プリンタ１０の制御部３０に、印刷制御部３６、紙送り制御部３８、紙送り受付部４０、押下監視部４２、及び用紙判定部４４を備えることによって、ユーザが誤って紙送りスイッチを長い時間、継続して押下したとき、押下した継続時間だけ、ラベル紙を連続して排出してしまう紙送り動作を避けることができる。従って、ロール紙５０がラベル紙であるとき、紙送りスイッチが所定の時間以上継続して押下されている場合に、ラベル紙の無駄な排出を避けるような制御を実行することが可能となる。【選択図】  図２
2006341539.tif 000002
【特許請求の範囲】
【請求項１】
連続用紙の搬送指示を外部から受け付ける紙送りスイッチを備えたプリンタであって、
前記紙送りスイッチの押下信号を入力し、外部からの前記連続用紙の搬送指示を受け付ける紙送り受付手段と、
前記紙送りスイッチが押下されているか否かを監視し、前記紙送り受付手段により受け付けられた前記紙送りスイッチの押下動作が継続されているか否かを判定する押下監視手段と、
前記連続用紙の種類を判定する用紙判定手段と、
前記連続用紙を搬送する搬送機構を制御する紙送り制御手段と、
前記紙送り制御手段に同期して印刷機構を制御して前記連続用紙に印刷する印刷制御手段と、
を備え、
前記紙送り制御手段は、前記紙送り受付手段によって外部からの前記連続用紙の搬送指示を受け付けたときに、前記用紙判定手段によって判定された前記連続用紙の種類、及び前記押下監視手段によって判定された前記紙送りスイッチの押下継続の有無に基づいて、前記搬送機構を制御することを特徴とするプリンタ。
【請求項２】
前記紙送り制御手段は、前記紙送り受付手段によって外部からの前記連続用紙の搬送指示を受け付けたときに、前記用紙判定手段によって前記連続用紙の種類がラベル紙であると判定された場合、前記印刷制御手段によって前記連続用紙上の次に印刷可能なラベルの所定の印刷開始位置まで、前記連続用紙を搬送する頭出し処理を実行することを特徴とする請求項１に記載のプリンタ。
【請求項３】
前記紙送り制御手段は、前記紙送り受付手段によって外部からの前記連続用紙の搬送指示を受け付けたときに、前記用紙判定手段によって前記連続用紙の種類がラベル紙であると判定された場合、前記押下監視手段によって判定された前記紙送りスイッチの押下継続の有無にかかわらず、前記頭出し処理を１度実行することを特徴とする請求項２に記載のプリンタ。
【請求項４】
連続用紙の搬送指示を外部から受け付ける紙送りスイッチを備えたプリンタの紙送り制御方法であって、
前記連続用紙の種類を判定する用紙判定工程と、
前記紙送りスイッチの押下信号を入力し、外部からの前記連続用紙の搬送指示を受け付ける紙送り受付工程と、
前記紙送りスイッチが押下されているか否かを監視し、前記紙送り受付工程により受け付けられた前記紙送りスイッチの押下動作が継続されているか否かを判定する押下監視工程と、
前記紙送り受付工程によって外部からの前記連続用紙の搬送指示を受け付けたときに、前記用紙判定工程によって判定された前記連続用紙の種類、及び前記押下監視工程によって判定された前記紙送りスイッチの押下継続の有無に基づいて、前記連続用紙を搬送する搬送工程と、
を備えていることを特徴とするプリンタの紙送り制御方法。
【請求項５】
前記搬送工程は、前記紙送り受付工程によって外部からの前記連続用紙の搬送指示を受け付けたときに、前記用紙判定工程によって前記連続用紙の種類がラベル紙であると判定された場合、前記連続用紙上の次に印刷可能なラベルの所定の印刷開始位置まで、前記連続用紙を搬送する頭出し処理を実行することを特徴とする請求項４に記載のプリンタの紙送り制御方法。
【請求項６】
前記搬送工程は、前記紙送り受付工程によって外部からの前記連続用紙の搬送指示を受け付けたときに、前記用紙判定工程によって前記連続用紙の種類がラベル紙であると判定された場合、前記押下監視工程によって判定された前記紙送りスイッチの押下継続の有無にかかわらず、前記頭出し処理を１度実行することを特徴とする請求項５に記載のプリンタの紙送り制御方法。
【請求項７】
連続用紙の搬送指示を外部から受け付ける紙送りスイッチを備えたプリンタの紙送りを制御する処理をコンピュータに実行させるプログラムであって、
請求項１から３のいずれか１項に記載のプリンタの各手段を実現させる処理を前記コンピュータに実行させるプログラム。
【発明の詳細な説明】
【技術分野】
【０００１】
本発明は、連続用紙の搬送指示を外部から受け付ける紙送りスイッチを備えたプリンタ、紙送り制御方法及びプログラムに関する。特に、紙送りスイッチが継続して押下されたときに、ラベル紙の無駄な排出を避けることが可能なプリンタ、紙送り制御方法及びプログラムに関する。
【背景技術】
【０００２】
複数モードで操作可能なプリンタのような装置において、複数の操作スイッチが装置外面に設けられており、装置の小型化、生産コストの低減を図るため、操作スイッチの数を増やさずに様々な機能を実行する装置が提案されている。
【０００３】
特許文献１の発明では、複数の動作モードで動作可能でありながら、操作ボタンを少なくすることが可能なモード制御装置が提案されている。また、特許文献２の発明では、キー数を増加させずに、ユーザから受け付ける操作の種類を増加させ、更には、キー操作を受け付けたときの電子機器のステータスに応じて、異なる動作を行うプリンタが提案されている。
【０００４】
連続した印刷用紙（以下、連続用紙と呼ぶ）をロール状に巻いたロール紙を収納したＰＯＳプリンタ、受付番号発行機、携帯型プリンタ等のプリンタにおいても、紙送りスイッチが外面に設けられており、紙送りスイッチがユーザに押された時間が所定の時間未満の場合に「短押しモード」と所定の時間以上の場合の「長押しモード」の２つの機能が動作するプリンタが提案されている。連続用紙がラベル紙の場合、短押しモードのときには、次に印刷可能なラベルの所定の印刷開始位置まで連続用紙が排出されるラベルの頭出し処理が１度実行され、長押しモードのときには、スイッチを押している間、ラベル紙を排出し続ける連続のラベル頭出し処理が実行される。
【０００５】
図４は、従来の紙送りスイッチが押下されたときのラベル紙の紙送り制御手順を示すフローチャートである。
【０００６】
紙送りスイッチの押下信号を入力し、ラベル紙の搬送指示を受け付けると、ラベルの頭出し処理が１度実行され（Ｓ２０２）、所定の時間継続して紙送りスイッチが押下されているか否かが判定される（Ｓ２０４）。即ち、短押しモードであるか長押しモードであるかが判定される。短押しモードである場合（Ｓ２０４；Ｎｏ）は、ラベル紙の排出処理を停止して（Ｓ２１０）、処理を終了する。一方、長押しモードである場合（Ｓ２０４；Ｙｅｓ）は、ラベルの連続頭出し処理を実行し（Ｓ２０６）、紙送りスイッチが継続して押下されているか否かを判定する（Ｓ２０８）。紙送りスイッチが継続して押下されている場合（Ｓ２０８；Ｙｅｓ）は、Ｓ２０６に戻り、ラベルの連続頭出し処理を実行する。紙送りスイッチが継続して押下されていない場合（Ｓ２０８；Ｎｏ）は、ラベル紙の排出処理を停止して（Ｓ２１０）、処理を終了する。
【０００７】
上述したように、紙送りスイッチの押下継続時間の長短によりラベル紙の排出処理が異なっていた。
【０００８】
【特許文献１】特許第３３４５１７６号公報
【特許文献２】特開２００３−３３５０２０号公報
【発明の開示】
【発明が解決しようとする課題】
【０００９】
しかしながら、ユーザが誤って紙送りスイッチを長い時間、継続して押下したとき、押下した継続時間だけ、ラベル紙を連続して排出してしまい、高価なラベル紙を無駄にしてしまうという問題点があった。また、携帯型プリンタにおいては、収納されるロール紙の長さも短いため、即ち、ラベル紙の枚数も少ないため、無駄なラベル紙が排出されると、ロール紙の交換作業の回数が多くなり、印刷作業の効率が低下するという問題点もあった。また、携帯型プリンタにおいては、電力の供給源として電池等が使用されるが、ラベル紙を連続して排出する連続頭出し作業に伴って電力が無駄に消費されてしまうという問題点もあった。また、電力が無駄に消費されると、電池の交換作業の回数が多くなり、印刷作業の効率が低下するという問題点もあった。
【００１０】
本発明は、以上のような問題点を解決するためになされたもので、連続用紙の搬送指示を外部から受け付ける紙送りスイッチを備えたプリンタにおいて、紙送りスイッチが継続して押下されたときに、ラベル紙の無駄な排出を避けることが可能なプリンタ、紙送り制御方法及びプログラムを提供することを目的とする。
【課題を解決するための手段】
【００１１】
上述した従来の問題点を解決すべく下記の発明を提供する。
【００１２】
本発明の第１の態様にかかるプリンタは、連続用紙の搬送指示を外部から受け付ける紙送りスイッチを備えたプリンタであって、前記紙送りスイッチの押下信号を入力し、外部からの前記連続用紙の搬送指示を受け付ける紙送り受付手段と、前記紙送りスイッチが押下されているか否かを監視し、前記紙送り受付手段により受け付けられた前記紙送りスイッチの押下動作が継続されているか否かを判定する押下監視手段と、前記連続用紙の種類を判定する用紙判定手段と、前記連続用紙を搬送する搬送機構を制御する紙送り制御手段と、前記紙送り制御手段に同期して印刷機構を制御して前記連続用紙に印刷する印刷制御手段と、を備え、前記紙送り制御手段は、前記紙送り受付手段によって外部からの前記連続用紙の搬送指示を受け付けたときに、前記用紙判定手段によって判定された前記連続用紙の種類、及び前記押下監視手段によって判定された前記紙送りスイッチの押下継続の有無に基づいて、前記搬送機構を制御することを特徴とする。
【００１３】
このような構成であれば、プリンタは、紙送り受付手段によって紙送りスイッチの押下信号が入力され、外部からの連続用紙の搬送指示が受け付けられる。また、押下監視手段によって紙送りスイッチが押下されているか否かが監視され、紙送り受付手段により受け付けられた紙送りスイッチの押下動作が継続されているか否かが判定される。また、用紙判定手段によって連続用紙の種類が判定される。また、紙送り制御手段によって連続用紙を搬送する搬送機構が制御され、用紙判定手段によって判定された連続用紙の種類、及び押下監視手段によって判定された紙送りスイッチの押下継続の有無に基づいて、搬送機構が制御される。また、印刷制御手段よって紙送り制御手段に同期して印刷機構が制御され連続用紙に印刷される。
【００１４】
これにより、連続用紙がラベル紙である否かを判定し、ラベル紙であるとき、紙送りスイッチが所定の時間以上継続して押下されている場合に、ラベル紙の無駄な排出を避けるような制御を実行することが可能となる。また、ラベル紙を連続して排出する作業に伴う電力の無駄を避けることが可能となる。また、連続用紙の交換作業や電池の交換作業の回数が低減するため、印刷作業の効率を増加させることが可能となる。
【００１５】
本発明の他の態様にかかるプリンタは、上述した本発明の態様にかかるプリンタの前記紙送り制御手段が、前記紙送り受付手段によって外部からの前記連続用紙の搬送指示を受け付けたときに、前記用紙判定手段によって前記連続用紙の種類がラベル紙であると判定された場合、前記印刷制御手段によって前記連続用紙上の次に印刷可能なラベルの所定の印刷開始位置まで、前記連続用紙を搬送する頭出し処理を実行することを特徴とする。
【００１６】
このような構成であれば、プリンタは、紙送り受付手段によって外部からの連続用紙の搬送指示を受け付けたときに、用紙判定手段によって連続用紙の種類がラベル紙であると判定された場合、印刷制御手段によって連続用紙上の次に印刷可能なラベルの所定の印刷開始位置まで、連続用紙を搬送する頭出し処理を紙送り制御手段によって実行される。
【００１７】
これにより、連続用紙がラベル紙である否かを判定し、ラベル紙であるとき、連続用紙上の次に印刷可能なラベルの所定の印刷開始位置まで、連続用紙を搬送する頭出し処理を実行する、ラベル紙の無駄な排出を避けるような制御を実行することが可能となる。また、ラベル紙を連続して排出する作業に伴う電力の無駄を避けることが可能となる。また、連続用紙の交換作業や電池の交換作業の回数が低減するため、印刷作業の効率を増加させることが可能となる。
【００１８】
本発明の他の態様にかかるプリンタは、上述した本発明の態様にかかるプリンタの前記紙送り制御手段が、前記紙送り受付手段によって外部からの前記連続用紙の搬送指示を受け付けたときに、前記用紙判定手段によって前記連続用紙の種類がラベル紙であると判定された場合、前記押下監視手段によって判定された前記紙送りスイッチの押下継続の有無にかかわらず、前記頭出し処理を１度実行することを特徴とする。
【００１９】
このような構成であれば、プリンタは、紙送り受付手段によって外部からの連続用紙の搬送指示を受け付けたときに、用紙判定手段によって連続用紙の種類がラベル紙であると判定された場合、押下監視手段によって判定された前記紙送りスイッチの押下継続の有無にかかわらず、頭出し処理を１度、紙送り制御手段によって実行される。
【００２０】
これにより、連続用紙がラベル紙である否かを判定し、ラベル紙であるとき、紙送りスイッチが所定の時間以上継続して押下されている場合に、連続用紙上の次に印刷可能なラベルの所定の印刷開始位置まで、連続用紙を搬送する頭出し処理を１度だけ実行する、ラベル紙の無駄な排出を避けるような制御を実行することが可能となる。また、ラベル紙を連続して排出する作業に伴う電力の無駄を避けることが可能となる。また、連続用紙の交換作業や電池の交換作業の回数が低減するため、印刷作業の効率を増加させることが可能となる。
【００２１】
本発明の第１の態様にかかるプリンタの紙送り制御方法は、連続用紙の搬送指示を外部から受け付ける紙送りスイッチを備えたプリンタの紙送り制御方法であって、前記連続用紙の種類を判定する用紙判定工程と、前記紙送りスイッチの押下信号を入力し、外部からの前記連続用紙の搬送指示を受け付ける紙送り受付工程と、前記紙送りスイッチが押下されているか否かを監視し、前記紙送り受付工程により受け付けられた前記紙送りスイッチの押下動作が継続されているか否かを判定する押下監視工程と、前記紙送り受付工程によって外部からの前記連続用紙の搬送指示を受け付けたときに、前記用紙判定工程によって判定された前記連続用紙の種類、及び前記押下監視工程によって判定された前記紙送りスイッチの押下継続の有無に基づいて、前記連続用紙を搬送する搬送工程と、を備えていることを特徴とする。
【００２２】
これにより、上述した本発明の態様にかかるプリンタと同等の効果が得られる。
【００２３】
本発明の他の態様にかかるプリンタの紙送り制御方法は、上述した本発明の態様にかかるプリンタの紙送り制御方法の前記搬送工程が、前記紙送り受付工程によって外部からの前記連続用紙の搬送指示を受け付けたときに、前記用紙判定工程によって前記連続用紙の種類がラベル紙であると判定された場合、前記連続用紙上の次に印刷可能なラベルの所定の印刷開始位置まで、前記連続用紙を搬送する頭出し処理を実行することを特徴とする。
【００２４】
これにより、上述した本発明の態様にかかるプリンタと同等の効果が得られる。
【００２５】
本発明の他の態様にかかるプリンタの紙送り制御方法は、上述した本発明の態様にかかるプリンタの紙送り制御方法の前記搬送工程が、前記紙送り受付工程によって外部からの前記連続用紙の搬送指示を受け付けたときに、前記用紙判定工程によって前記連続用紙の種類がラベル紙であると判定された場合、前記押下監視工程によって判定された前記紙送りスイッチの押下継続の有無にかかわらず、前記頭出し処理を１度実行することを特徴とする。
【００２６】
これにより、上述した本発明の態様にかかるプリンタと同等の効果が得られる。
【００２７】
本発明の第１の態様にかかるプログラムは、連続用紙の搬送指示を外部から受け付ける紙送りスイッチを備えたプリンタの紙送りを制御する処理をコンピュータに実行させるプログラムであって、上述した本発明の態様にかかるプリンタの各手段を実現させる処理を前記コンピュータに実行させることを特徴とする。
【００２８】
このような構成であれば、コンピュータによってプログラムが読み取られ、読み取られたプログラムによって、コンピュータが処理を実行すると、上述した本発明の態様にかかるプリンタと同等の作用及び効果が得られる。
【発明の効果】
【００２９】
本発明によれば、連続用紙がラベル紙であるか否かを判定し、ラベル紙であるとき、紙送りスイッチが所定の時間以上、継続して押下されている場合に、ラベル紙の無駄な排出を避けるような制御を実行することが可能となる。また、ラベル紙を連続して排出する作業に伴う電力の無駄を避けることが可能となる。また、連続用紙の交換作業や電池の交換作業の回数が低減するため、印刷作業の効率を増加させることが可能となる。
【発明を実施するための最良の形態】
【００３０】
以下、図面を参照しながら、本発明の実施の形態を説明する。
【００３１】
図１は、本発明を適用可能な連続用紙の搬送指示を外部から受け付ける紙送りスイッチを備えたプリンタの一例を示す斜視図であり、図１（ａ）はプリンタの外観を示し、図１（ｂ）はカバーを開いた状態を示す図である。
【００３２】
図１に示すように、プリンタ１０は、プリンタフレーム１２とカバー１４を備えており、その内部に印刷媒体としてロール紙５０が収納されている。また、プリンタ１０の内部には、図示していないが、ロール紙５０の端部を引出して連続用紙として搬送する搬送機構と、引出した連続用紙に印刷を実行する印刷ヘッドとが備えられている。また、プリンタ１０は、連続用紙の搬送指示を外部から受け付ける紙送りスイッチ１８を備えており、ユーザによって紙送りスイッチ１８が押下されると、ロール紙５０の種類及び押下されている継続時間に基づいて、ロール紙５０上の次に印刷可能な所定の印刷開始位置まで、ロール紙５０が搬送される。また、ロール紙５０は、排出口１６からプリンタ１０の外部へ排出される。ここで、ロール紙５０の種類とは、レシート用紙またはラベル紙のことである。また、ロール紙５０がラベル紙であるとき、ロール紙５０上の次に印刷可能なラベルの所定の印刷開始位置まで、ロール紙５０が搬送されることを「ラベルの頭出し」と呼ぶ。
【００３３】
次に、プリンタの制御について説明する。
【００３４】
図２は、本発明を適用可能な連続用紙の搬送指示を外部から受け付ける紙送りスイッチを備えたプリンタの機能ブロック図の一例である。
【００３５】
図２に示すように、プリンタ１０は、印刷ヘッド等を含む印刷機構２０、搬送ローラ及び搬送用伝達歯車等を含む搬送機構２２、ロール紙５０の搬送指示を外部から受け付ける紙送りスイッチ１８及びこれらを制御する制御部３０とから構成されている。
【００３６】
制御部３０は、ホスト装置等のプリンタを制御する外部装置との接続インタフェース３２、プリンタ１０全体の動作を管理し制御する主制御部３４、印刷機構２０を制御する印刷制御部３６、搬送機構２２を制御する紙送り制御部３８、紙送りスイッチ１８の押下信号を入力する紙送り受付部４０、紙送りスイッチ１８の押下動作が継続されているか否かを監視する押下監視部４２、及びプリンタ１０に収納されたロール紙５０の種類を判定する用紙判定部４４を備えている。
【００３７】
主制御部３４は、インタフェース３２を介して外部装置からの印刷命令、紙送り命令等の制御命令と、設定データ、印刷データ等のデータを受信する。紙送り受付部４０は、紙送りスイッチ１８が押下された信号を入力することにより、外部からのラベル紙５０の搬送命令を受け付ける。押下監視部４２は、紙送り受付部４０によって受け付けられた紙送りスイッチ１８の押下動作が継続されているか否かを監視する。用紙判定部４４は、プリンタ１０に収納されているロール紙５０がレシート紙またはラベル紙のいずれであるかを判定する。紙送り制御部３８は、受信した紙送り命令及び紙送り受付部４０によって受け付けられたロール紙５０の搬送指示に基づいて搬送機構２２を制御して、ロール紙５０の紙送りを実行させる。印刷制御部３６は、印刷機構２０を制御して、紙送り制御部３８による紙送り動作と同期させながら、受信した印刷データを設定データに基づいて印刷させる。
【００３８】
紙送り制御部３８は、紙送り受付部４０によってロール紙５０の搬送指示を受け付けたとき、用紙判定部４４によってロール紙５０がラベル紙であると判定された場合は、押下監視部４２によって監視されている紙送りスイッチ１８の押下動作の継続時間にかかわらず、即ち、短押しモードの場合も長押しモードの場合も、ラベル頭出し作業を１度だけ実行する。また、用紙判定部４４によってロール紙５０がレシート紙であると判定された場合は、押下監視部４２によって監視されている紙送りスイッチ１８の押下動作の継続時間に応じたロール紙５０の長さだけ、ロール紙５０の紙送りが実行される。
【００３９】
ここで、プリンタ１０は、図示されていないが、制御プログラムに基づいて演算及び装置全体を制御するＣＰＵと、所定領域にあらかじめＣＰＵの制御プログラム等を格納しているＲＯＭと、ＲＯＭ等から読み出された情報やＣＰＵの演算過程において必要な演算結果を格納するためのＲＡＭとを備えている。また、ＣＰＵ、ＲＯＭ、ＲＡＭ及びインタフェース３２は、情報を転送するための信号線であるバスにより相互にかつ情報授受可能に接続されている。
【００４０】
次に、紙送りスイッチ１８の押下が受け付けられたときのラベル紙の紙送り処理を説明する。
【００４１】
図３は、プリンタ１０のＲＯＭに予め格納されている制御プログラムにより実行される、紙送りスイッチ１８が押下されたときのラベル紙の紙送り制御手順を示すフローチャートの一例である。
【００４２】
紙送りスイッチの押下信号を入力し、ラベル用紙の搬送指示を受け付けると、ラベルの頭出し処理が１度実行され（Ｓ１０２）、ラベル紙の排出処理を停止する（Ｓ１０４）。次に、所定の時間継続して紙送りスイッチが押下されているか否かが判定される（Ｓ１０６）。即ち、短押しモードであるか長押しモードであるかが判定される。短押しモードである場合（Ｓ１０６；Ｎｏ）は、処理を終了する。一方、長押しモードである場合（Ｓ１０６；Ｙｅｓ）は、紙送りスイッチが継続して押下されているか否かを判定する（Ｓ１０８）。紙送りスイッチが継続して押下されている場合（Ｓ１０８；Ｙｅｓ）は、紙送りスイッチの押下動作の継続が終了するまで、紙送りスイッチが継続して押下されているか否かを繰り返し判定し、紙送りスイッチが継続して押下されていない場合（Ｓ１０８；Ｎｏ）は、処理を終了する。
【００４３】
上述したように、プリンタ１０の制御部３０に、印刷制御部３６、紙送り制御部３８、紙送り受付部４０、押下監視部４２、及び用紙判定部４４を備えることによって、ユーザが誤って紙送りスイッチを長い時間、継続して押下したとき、押下した継続時間だけ、ラベル紙を連続して排出してしまう紙送り動作を避けることができる。従って、ロール紙５０がラベル紙であるとき、紙送りスイッチが所定の時間以上継続して押下されている場合に、ラベル紙の無駄な排出を避けるような制御を実行することが可能となる。また、ラベル紙を連続して排出する作業に伴う電力の無駄を避けることが可能となる。また、連続用紙の交換作業や電池の交換作業の回数が低減するため、印刷作業の効率を増加させることが可能となる。
【００４４】
上述の実施の形態のプリンタ１０において、印刷制御部３６は本発明の印刷制御手段に対応し、紙送り制御部３８は本発明の紙送り制御手段及び搬送工程に対応し、紙送り受付部４０は本発明の紙送り受付手段及び紙送り受付工程に対応し、押下監視部４２は本発明の押下監視手段及び押下監視工程に対応し、用紙判定部４４は本発明の用紙判定手段及び用紙判定工程に対応する。
【００４５】
また、上述した図３のフローチャートに示す処理を実行する場合に、プリンタ１０のＲＯＭに予め格納されている制御プログラムを実行する場合について説明したが、これらの各工程を実行させるプログラムを記録した情報記録媒体から、そのプログラムをＲＡＭに読み込んで実行するようにしても良い。
【００４６】
ここで、情報記録媒体とは、ＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記憶型／光学的読取方式記録媒体であって、電子的、磁気的、光学等の読み取り方法のいかんにかかわらず、コンピュータによって読み取り可能な情報記録媒体であれば、あらゆる情報記録媒体を含むものである。また、プログラムを、ネットワークを経由してダウンロードして実行するようにしても良い。
【図面の簡単な説明】
【００４７】
【図１】本発明を適用可能な連続用紙の搬送指示を外部から受け付ける紙送りスイッチを備えたプリンタの一例を示す斜視図であり、図１（ａ）はプリンタの外観を示し、図１（ｂ）はカバーを開いた状態を示す図である。
【図２】本発明を適用可能な連続用紙の搬送指示を外部から受け付ける紙送りスイッチを備えたプリンタの機能ブロック図の一例である。
【図３】紙送りスイッチ１８が押下されたときのラベル紙の紙送り制御手順を示すフローチャートの一例である。
【図４】従来の紙送りスイッチが押下されたときのラベル紙の紙送り制御手順を示すフローチャートである。
【符号の説明】
【００４８】
１０    プリンタ
１２    プリンタフレーム
１４    カバー
１６    排出口
１８    紙送りスイッチ
２０    印刷機構
２２    搬送機構
３０    制御部
３２    インタフェース
３４    主制御部
３６    印刷制御部
３８    紙送り制御部
４０    紙送り受付け部
４２    押下監視部
４４    用紙判定部
５０    ロール紙
【図１】
2006341539.tif 000003
【図２】
2006341539.tif 000004
【図３】
2006341539.tif 000005
【図４】
2006341539.tif 000006